(57)【要約】【課題】  ＬＥＤアレイを用いて照明を行う場合にも、均一な照明を行うことができる照明装置を提供すること。【解決手段】  照明装置２０に設けたＢＧＲ光照明装置２１，２３，２５からの各色の照明光は、対応する液晶ライトバルブ３１，３３，３５にそれぞれ入射する。各液晶ライトバルブ３１，３３，３５は、外部からの画像信号に応じて動作する素子駆動装置３８によって変調されて２次元的屈折率分布を有しており、各色の照明光を２次元空間的に画素単位で変調する。この場合、各光用光源ユニット２１ａ，２３ａ，２５ａにおいて、回路基板２１ｇ，２３ｇ，２５ｇ上にＬＥＤパッケージ２１ｆ，２３ｆ，２５ｆが精密にアライメントされた状態でマウントされているので、ＲＧＢの各色について輝度ムラのない照明が可能になる。この結果、輝度ムラのない高品位の画像を投射することができる。【選択図】  図１
2005228695.tif 000002
【特許請求の範囲】
【請求項１】
光源光を発生する固体光源チップと、当該固体光源チップの下方又は側方に２次元的に配置されて半田付可能な複数のアライメント端子とを有する発光装置と、
前記アライメント端子の配置に対応してそれぞれ配置されるとともに半田付可能な複数のパッドを表面に設けた実装基板とを備える照明装置。
【請求項２】
前記複数のアライメント端子のうち少なくとも２つのアライメント端子は、通電を目的とする電極端子であることを特徴とする請求項１記載の照明装置。
【請求項３】
前記複数のアライメント端子のうち前記電極端子を除いた残りのアライメント端子は、通電を目的としない擬似端子であることを特徴とする請求項２記載の照明装置。
【請求項４】
前記複数のアライメント端子と前記複数のパッドとは、リフロー工程によってセルフアライメントしつつ固定されることを特徴とする請求項１から請求項３のいずれか一項記載の照明装置。
【請求項５】
前記複数のアライメント端子は、前記発光装置の下面に設けられた所定形状の接着面を有しており、各アライメント端子と前記複数のパッドとは、それぞれ半田ボールを介して接続されていることを特徴とする請求項１から請求項４のいずれか一項記載の照明装置。
【請求項６】
前記複数のアライメント端子は、前記発光装置の側面又は下面に設けられた所定形状の接着面を有しており、各アライメント端子と前記複数のパッドとは、半田層を介して接続されていることを特徴とする請求項１から請求項４のいずれか一項記載の照明装置。
【請求項７】
前記発光装置は、固体光源チップと前記複数のアライメント端子とを埋め込んで一体化した表面実装パッケージであることを特徴とする請求項６記載の照明装置。
【請求項８】
前記発光装置は、前記実装基板上に所定の配列で複数取り付けられていることを特徴とする請求項１から請求項７のいずれか一項記載の照明装置。
【請求項９】
各色ごとに設けた前記発光装置からの各色の光源光を各色の照明光として射出する請求項１から請求項８のいずれか一項記載の各色の照明装置と、
前記各色の照明装置からの各色の照明光によって照明される各色の光変調装置と、
前記各色の光変調装置で変調された各色の像光を合成して射出する光合成光学系と、
前記光合成光学系を経て合成された像光を投射する投射光学系と
を備えるプロジェクタ。
【請求項１０】
前記発光装置からの光源光を照明光として射出する請求項１から請求項８のいずれか一項記載の照明装置と、
前記照明装置からの照明光によって照明される光変調装置と、
前記光変調装置で変調された像光を投射する投射光学系と
を備えることを特徴とするプロジェクタ。
【発明の詳細な説明】
【技術分野】
【０００１】
本発明は、液晶ライトバルブその他の光変調装置の照明に適する照明装置、及びこれを組み込んだプロジェクタに関する。
【背景技術】
【０００２】
従来のプロジェクタとして、各色ごとに設けたＬＥＤアレイからの各色の照明光をレンズアレイで平行性の高い状態とするとともに、各色の照明光をダイクロイックプリズムで合成した白色光によってＬＣＤ全体を一様に照明するものが存在する（特許文献１参照）。
【特許文献１】特開２０００−５６４１０号公報の図２，５
【発明の開示】
【発明が解決しようとする課題】
【０００３】
しかし、上記のようなプロジェクタでは、リード型のＬＥＤからなるＬＥＤアレイを用いているので、配線基板上における実装位置精度を高めることが容易でない。つまり、リードを通す孔に設けたクリアランスの存在によって複数のＬＥＤ間で相対的位置ズレが生じやすく、集光レンズで設定された位置との間でズレを生じる結果、光量の不均一が生じて投射画像に輝度ムラが発生する。
【０００４】
そこで、本発明は、ＬＥＤアレイを用いて照明を行う場合にも、均一な照明を行うことができる照明装置を提供することを目的とする。
【０００５】
また、本発明は、均一な照明光によって輝度ムラのない画像を投射することができるプロジェクタを提供することを目的とする。
【課題を解決するための手段】
【０００６】
上記課題を解決するため、本発明に係る照明装置は、（ａ）光源光を発生する固体光源チップと、当該固体光源チップの下方又は側方に２次元的に配置されて半田付可能な３つ以上の複数のアライメント端子とを有する発光装置と、（ｂ）アライメント端子の配置に対応してそれぞれ配置されて半田付可能な複数のパッドを表面に設けた実装基板とを備える。
【０００７】
上記照明装置では、発光装置が、半田付可能な３つ以上の複数のアライメント端子を有し、実装基板が、アライメント端子の配置に対応し半田付可能な複数のパッドを有するので、各アライメント端子を半田付によって複数のパッドに固定することにより、実装基板に対する発光装置の固定とアライメントとを同時に達成することができる。これにより、固体光源チップを所望の位置に所望の精度で設置することができ、輝度ムラのない照明等が可能になる。
【０００８】
本発明の具体的態様では、上記照明装置において、複数のアライメント端子のうち少なくとも２つのアライメント端子が通電を目的とする電極端子である。この場合、アライメント端子のうち電極端子によって、固体光源チップへの給電が可能になり、アライメント端子の数を最小限とすることができるだけでなく、実装基板に対する発光装置の電気接続とアライメントとを同時に達成することができる。
【０００９】
また、本発明の別の具体的態様では、複数のアライメント端子のうち電極端子を除いた残りのアライメント端子が通電を目的としない擬似端子である。この場合、追加した擬似端子を所望の程度に利用して精密なアライメントが達成される。
【００１０】
また、本発明のさらに別の具体的態様では、複数のアライメント端子と複数のパッドとが、リフロー工程によってセルフアライメントしつつ固定される。この場合、半田を利用して発光装置を簡易かつ高精度でアライメントすることができる。
【００１１】
また、本発明のさらに別の具体的態様では、複数のアライメント端子が、発光装置の下面に設けられた所定形状の接着面を有しており、各アライメント端子と前記複数のパッドとが、それぞれ半田ボールを介して接続されている。この場合、半田ボールの表面張力を利用した高精度のアライメントが可能になる。
【００１２】
また、本発明のさらに別の具体的態様では、複数のアライメント端子が、発光装置の側面又は下面に設けられた所定形状の接着面を有しており、各アライメント端子と前記複数のパッドとが、半田層を介して接続されている。この場合、半田層を利用した高精度のアライメントが可能になる。
【００１３】
また、本発明のさらに別の具体的態様では、発光装置が、固体光源チップと複数のアライメント端子とを埋め込んで一体化した表面実装パッケージである。この場合、表面実装パッケージの半田付けに際して高精度のアライメントが可能になる。
【００１４】
また、本発明のさらに別の具体的態様では、発光装置が、実装基板上に所定の配列で複数取り付けられている。この場合、各発光装置を相互の配置関係を含めて簡易かつ精密にアライメントしつつ実装基板上にマウントすることができ、複数の発光装置からの照明光を効率よく被照射対象に導くことができる。
【００１５】
また、本発明に係る第１のプロジェクタは、（ａ）各色ごとに設けた発光装置からの各色の光源光を各色の照明光として射出する上記各色の照明装置と、（ｂ）各色の照明装置からの各色の照明光によって照明される各色の光変調装置と、（ｃ）各色の光変調装置で変調された各色の像光を合成して射出する光合成光学系と、（ｄ）光合成光学系を経て合成された像光を投射する投射光学系とを備える。
【００１６】
上記プロジェクタでは、各色の光変調装置を照明するため、各色の照明装置が、各色ごとに設けた上述の発光装置からの各色の光源光を射出する。この際、発光装置が実装基板上に精密にアライメントして配置されるので、精密な照明が可能になり、輝度ムラのない高品位の画像を投射することができるだけでなく、各色の発光装置の配置誤差によって色ムラが発生することを防止できる。
【００１７】
また、本発明に係る第２のプロジェクタは、（ａ）発光装置からの光源光を照明光として射出する上記照明装置と、（ｂ）照明装置からの照明光によって照明される光変調装置と、（ｃ）光変調装置で変調された像光を投射する投射光学系とを備える。
【００１８】
上記プロジェクタでは、光変調装置を照明するため、照明装置が上述の発光装置からの光源光を射出する。この際、発光装置が実装基板上に精密にアライメントして配置されるので、精密な照明が可能になり、輝度ムラのない高品位の画像を投射することができる。
【発明を実施するための最良の形態】
【００１９】
〔第１実施形態〕
図１は、本発明の第１実施形態に係るプロジェクタの構造を概念的に説明するブロック図である。このプロジェクタ１０は、照明装置２０と、像形成部３０と、投射レンズ４０と、制御装置５０とを備える。ここで、照明装置２０は、Ｂ光照明装置２１と、Ｇ光照明装置２３と、Ｒ光照明装置２５と、光源駆動装置２７とを有する。また、像形成部３０は、透過型の光変調装置である３つの液晶ライトバルブ３１，３３，３５と、光合成光学系であるクロスダイクロイックプリズム３７と、各液晶ライトバルブ３１，３３，３５に駆動信号を出力する素子駆動装置３８とを有する。
【００２０】
Ｂ光照明装置２１は、Ｂ光用光源ユニット２１ａと、ロッドインテグレータ２１ｃとを備える。このうち、Ｂ光用光源ユニット２１ａは、複数のＬＥＤパッケージ２１ｆを回路基板２１ｇ上に適当な２次元的配列で取り付けたものであり、各ＬＥＤパッケージ２１ｆの正面にビーム整形用のレンズエレメントを個別に配置した集光レンズアレイ２１ｂを有している。各ＬＥＤパッケージ２１ｆは、発光装置として、３原色のうち青（Ｂ）の範疇に含まれるＢ光をそれぞれ発生する。ＬＥＤパッケージ２１ｆから取り出されたＢ光、つまり第１光源光ＬＢは、集光レンズアレイ２１ｂを経た後、光均一化手段であるロッドインテグレータ２１ｃの入射端すなわち入射ポートＩＰに入射する。この際、各ＬＥＤパッケージ２１ｆからのＢ光は、集光レンズアレイ２１ｂを構成する各レンズエレメントによってそれぞれ適宜発散するとともに所定位置に集まる楕円或いは矩形断面のビームにされる。つまり、各ＬＥＤパッケージ２１ｆからのＢ光は、ロッドインテグレータ２１ｃに設けた矩形の入射ポートＩＰに全体として集められ、この入射ポートＩＰに重畳した状態でそれぞれ漏れなく入射する。ロッドインテグレータ２１ｃを経てその射出端である射出ポートＯＰから射出した第１照明光は、この射出ポートＯＰに対向配置された第１偏光フィルタ２６ａを介して像形成部３０のうちＢ光用の液晶ライトバルブ３１に入射する。これにより、液晶ライトバルブ３１上の被照射領域がＢ光によって均一に照明される。
【００２１】
図２は、Ｂ光用光源ユニット２１ａの平面図である。このＢ光用光源ユニット２１ａは、７つのＬＥＤパッケージ２１ｆを回路基板２１ｇ上に等間隔で配置したものである。つまり、各ＬＥＤパッケージ２１ｆは、実装基板である回路基板２１ｇ上において、正六角形の各頂点及び重心位置に配置・固定されている。各ＬＥＤパッケージ２１ｆは、それぞれ固体光源チップと呼ばれるＬＥＤ素子２１ｈを樹脂封止体中に内蔵している。回路基板２１ｇ上には、各ＬＥＤパッケージ２１ｆに電力を供給するための配線パターン２１ｋが形成されており、周囲の２カ所に一対の端子パッド２１ｍが形成さている。ここで、配線パターン２１ｋは、各ＬＥＤパッケージ２１ｆを直列に接続しており、両端子パッド２１ｍに直流電源を接続することによって、各ＬＥＤパッケージ２１ｆを同一の電流で駆動することができる。
【００２２】
図３及び図４は、特定のＬＥＤパッケージ２１ｆの構造と、このＬＥＤパッケージ２１ｆの回路基板２１ｇへの取り付けとを説明するための図である。
【００２３】
図３等に示すように、ＬＥＤパッケージ２１ｆにおいて、下部の台座６１上には、ミラー部材６３が固定されており、ミラー部材６３の中央には、ＬＥＤ素子２１ｈが固定されている。そして、ミラー部材６３の反射面及びＬＥＤ素子２１ｈは、透明な樹脂封止体６５中に封入されている。ＬＥＤ素子２１ｈから射出した光源光は、直接或いはミラー６３で反射された後、先端がレンズとなっている樹脂封止体６５を介して正面に射出する。
【００２４】
ＬＥＤパッケージ２１ｆの下面には、全体に亘って、半田付可能なアライメント端子である多数のランドＬＡ１，ＬＡ２がＸ，Ｙ方向に沿った格子点上に等間隔で形成されている。これらのうち、一対のランドＬＡ１は、台座６１を介してＬＥＤ素子２１ｈに電気的にそれぞれ個別に接続される電極端子となっている。また、残りのランドＬＡ２は、ＬＥＤ素子２１ｈに接続されておらず、電気的にフロートした擬似端子乃至擬似電極となっている。回路基板２１ｇに固定される前の状態のＬＥＤパッケージ２１ｆにおいて、各ランドＬＡ１，ＬＡ２の下面すなわち接着面ＢＳ１には、半田ボールＢＡが付着して固定されている。
【００２５】
一方、回路基板２１ｇの表面上の所定領域には、半田付用のパッドである多数のランドＬＡ３，ＬＡ４が一群となって格子点上に等間隔で形成されている。これらのランドＬＡ３，ＬＡ４は、ＬＥＤパッケージ２１ｆの固定位置に対応して、その取付けに要求される精度に応じた所定の寸法精度で形成されている。これらのうち、一対のランドＬＡ３は、配線パターン２１ｋに接続されており、ＬＥＤパッケージ２１ｆへの給電を可能にする電極パッドとなっている。また、残りのランドＬＡ４は、配線パターン２１ｋに接続されておらず、ＬＥＤパッケージ２１ｆへの給電を目的としない擬似的なフロートパッドとなっている。
【００２６】
ここで、ＬＥＤパッケージ２１ｆの回路基板２１ｇへの取付けについて説明する。７つのＬＥＤパッケージ２１ｆを予め準備し、各ＬＥＤパッケージ２１ｆ下面に設けた各ランドＬＡ１，ＬＡ２上の接着面ＢＳ１に半田を印刷する。そして、各ＬＥＤパッケージ２１ｆについて、適当な装置を利用して各ランドＬＡ１，ＬＡ２上に半田ボールＢＡを載置し、リフロー技術等を利用して半田ボールＢＡを各ランドＬＡ１，ＬＡ２に溶融付着させる。一方、上記ＬＥＤパッケージ２１ｆとは別に回路基板２１ｇを準備し、回路基板２１ｇ上面に設けた各ランドＬＡ３，ＬＡ４上の接着面ＢＳ２に半田を印刷する。その後、回路基板２１ｇ上の対応位置に半田ボールＢＡを既に付着させた７つのＬＥＤパッケージ２１ｆを載置して、リフロー装置に投入する。これにより、半田ボールＢＡが溶融し、各ＬＥＤパッケージ２１ｆ側の各ランドＬＡ１，ＬＡ２と、回路基板２１ｇ側の各ランドＬＡ３，ＬＡ４とが互いに接合される。この際、各半田ボールＢＡの表面張力がバランス良く作用して、７つのＬＥＤパッケージ２１ｆと回路基板２１ｇとが精密にアライメントされる。
【００２７】
なお、回路基板２１ｇ表面に設けるランドＬＡ１，ＬＡ２等の配置や間隔は、ＬＥＤパッケージ２１ｆを回路基板２１ｇ上に取り付ける際の位置精度に応じて適宜変更することができる。具体的には、例えばランドＬＡ１，ＬＡ２等の間隔すなわちピッチを、ＬＥＤパッケージ２１ｆの実装精度の２〜４倍程度としている。
【００２８】
図１に戻って、Ｇ光照明装置２３は、Ｇ光用光源ユニット２３ａと、ロッドインテグレータ２３ｃとを備える。このうち、Ｇ光用光源ユニット２３ａは、Ｂ光用光源ユニット２１ａと同様の構造を有するが、回路基板２３ｇ上の各ＬＥＤパッケージ２３ｆが、３原色のうち緑（Ｇ）の範疇に含まれるＧ光を発生するＬＥＤ素子をそれぞれ内蔵し、このＧ光からなる第２光源光ＬＧは、集光レンズアレイ２３ｂを経てロッドインテグレータ２３ｃの入射ポートＩＰに漏れなく重畳して入射する。このロッドインテグレータ２３ｃを経た第２照明光ＬＧは、波面分割及び重畳によってロス無く均一化されており、その射出ポートＯＰに対向配置された第１偏光フィルタ２６ｂを介して像形成部３０のうちＧ光用の液晶ライトバルブ３３に入射する。これにより、液晶ライトバルブ３３上の被照射領域がＧ光によって均一に照明される。なお、以上のＧ光用光源ユニット２３ａは、Ｂ光用光源ユニット２１ａ同様に精密にアライメントされたＬＥＤパッケージ２３ｆを有しており、Ｇ光を所望の状態で次段のロッドインテグレータ２３ｃに供給することができ、延いては第２照明光ＬＧの均一度を高めることができる。
【００２９】
Ｒ光照明装置２５は、Ｒ光用光源ユニット２５ａと、ロッドインテグレータ２５ｃとを備える。このうち、Ｒ光用光源ユニット２５ａは、Ｒ光用光源ユニット２１ａと同様の構造を有するが、回路基板２５ｇ上の各ＬＥＤパッケージ２５ｆが、３原色のうち赤（Ｒ）の範疇に含まれるＲ光を発生するＬＥＤ素子をそれぞれ内蔵し、このＲ光からなる第３光源光ＬＲは、集光レンズアレイ２５ｂを経てロッドインテグレータ２５ｃの入射ポートＩＰに漏れなく重畳して入射する。このロッドインテグレータ２５ｃを経た第３照明光ＬＲは、波面分割及び重畳によってロス無く均一化されており、その射出ポートＯＰに対向配置された第１偏光フィルタ２６ｃを介して像形成部３０のうちＲ光用の液晶ライトバルブ３５に入射する。これにより、液晶ライトバルブ３５上の被照射領域がＲ光によって均一に照明される。なお、以上のＲ光用光源ユニット２５ａは、Ｂ光用光源ユニット２１ａ同様に精密にアライメントされたＬＥＤパッケージ２５ｆを有しており、Ｒ光を所望の状態で次段のロッドインテグレータ２５ｃに供給することができる。
【００３０】
各液晶ライトバルブ３１，３３，３５は、光透過型の光変調装置であり、素子駆動装置３８に駆動されて照明光の偏光方向を画素単位で切替えることにより、各液晶ライトバルブ３１，３３，３５に入射した各色光照明装置２１，２３，２５からの照明光をそれぞれ２次元的に変調する。各液晶ライトバルブ３１，３３，３５の入射側には、その入射面に対向して第１偏光フィルタ２６ａ，２６ｂ，２６ｃが配置されており、各液晶ライトバルブ３１，３３，３５を特定方向の偏光成分によって照明することができる。また、各液晶ライトバルブ３１，３３，３５の射出側には、その射出面に対向して第２偏光フィルタ３６ａ，３６ｂ，３６ｃが配置されており、各液晶ライトバルブ３１，３３，３５を通過した特定方向に直交する方向の偏光成分のみを読み出すことができる。各液晶ライトバルブ３１，３３，３５にそれぞれ入射した各色光照明装置２１，２３，２５からの照明光は、これら液晶ライトバルブ３１，３３，３５によってそれぞれ２次元的に変調される。各液晶ライトバルブ３１，３３，３５を通過した各色の像光は、クロスダイクロイックプリズム３７で合成されて、その一側面から射出する。
【００３１】
投射レンズ４０は、投射光学系として、クロスダイクロイックプリズム３７から射出した合成光の像をスクリーン（不図示）に適当な拡大率で投影する。つまり、プロジェクタ１０によって、各液晶ライトバルブ３１，３３，３５に形成された各色Ｂ，Ｇ，Ｒの画像を合成したカラー画像が、動画又は静止画としてスクリーン上に投射される。
【００３２】
以下、図１に示すプロジェクタ１０の動作について説明する。照明装置２０に設けたＢＧＲ光照明装置２１，２３，２５からの各色の照明光は、対応する液晶ライトバルブ３１，３３，３５にそれぞれ入射する。各液晶ライトバルブ３１，３３，３５は、外部からの画像信号に応じて動作する素子駆動装置３８によって変調されて２次元的屈折率分布を有しており、各色の照明光を２次元空間的に画素単位で変調する。このように、各液晶ライトバルブ３１，３３，３５で変調された照明光すなわち像光は、クロスダイクロイックプリズム３７で合成された後に投射光学系である投射レンズ４０に入射してスクリーンに投影される。この場合、各光用光源ユニット２１ａ，２３ａ，２５ａにおいて、回路基板２１ｇ，２３ｇ，２５ｇ上にＬＥＤパッケージ２１ｆ，２３ｆ，２５ｆが精密にアライメントされた状態でマウントされているので、ＲＧＢの各色について輝度ムラのない照明が可能になる。この結果、輝度ムラのない高品位の画像を投射することができるとともに、各光用光源ユニット２１ａ，２３ａ，２５ａごとに設けたＬＥＤパッケージ２１ｆ，２３ｆ，２５ｆの取付け誤差に起因して色ムラが発生することを防止できる。なお、各ＬＥＤパッケージ２１ｆ，２３ｆ，２５ｆを精密にアライメントするためのランドＬＡ１〜ＬＡ４は、熱抵抗を下げる役割も有しており、ＬＥＤ素子２１ｈを効率的に冷却して安定的に動作させることができ、結果として、ＬＥＤパッケージ２１ｆ，２３ｆ，２５ｆの発光を安定化することができる。
【００３３】
〔第２実施形態〕
以下、本発明の第２実施形態に係るプロジェクタについて説明する。第２実施形態のプロジェクタは、第１実施形態のプロジェクタを変形したものであるので、共通分についての説明は省略し、異なる部分についてのみ説明する。
【００３４】
図５は、第２実施形態のプロジェクタに組み込まれるＢ光用のＬＥＤパッケージ１２１ｆの構造と、その回路基板１２１ｇへの取り付けとを説明するための図であり、図３に対応する。なお、この場合のＬＥＤパッケージ１２１ｆは、所謂リードレスチップキャリア（ＬＣＣ）となっている。
【００３５】
図示のように、ＬＥＤパッケージ１２１ｆは、矩形の台座１６１の中央にＬＥＤ素子２１ｈを固定した構造を有し、ＬＥＤ素子２１ｈは、透明な樹脂封止体１６５中に封入されている。ＬＥＤ素子２１ｈからの光源光は、先端がレンズとなっている樹脂封止体１６５を介して正面に射出する。なお、台座１６１上には反射ミラーを設けることもできる。
【００３６】
台座１６１の周囲（側面）には、半田付可能なアライメント端子である多数の切欠状端子ＬＡ１１，ＬＡ１２が適当な間隔で形成されている。これらのうち、一対のランドＬＡ１１は、ＬＥＤ素子２１ｈに電気的に接続される電極端子となっている。また、残りのランドＬＡ１２は、ＬＥＤ素子２１ｈに接続されておらず、電気的にフロートした擬似端子乃至擬似電極となっている。
【００３７】
一方、回路基板１２１ｇの表面上には、それぞれが半田付用のパッドでありＸ方向及びＹ方向に２列平行に延びるランドＬＡ１３，ＬＡ１４が適当な間隔で形成されている。これらのうち、一対のランドＬＡ１３は、配線パターン１２１ｋに接続されており、ＬＥＤパッケージ１２１ｆへの給電を可能にする電極パッドとなっている。また、残りのランドＬＡ１４は、配線パターン１２１ｋに接続されておらず、ＬＥＤパッケージ１２１ｆへの給電を目的としない擬似的なフロートパッドとなっている。
【００３８】
ここで、ＬＥＤパッケージ１２１ｆの回路基板１２１ｇへの取付けについて説明する。まず、回路基板２１ｇを準備し、回路基板１２１ｇ上面に設けた各ランドＬＡ１３，ＬＡ１４に半田を印刷する。その後、回路基板１２１ｇ上の対応位置にＬＥＤパッケージ１２１ｆを載置して、リフロー装置に投入する。これにより、各ランドＬＡ１３，ＬＡ１４上の半田が溶融し、ＬＥＤパッケージ２１ｆ側に設けた各切欠状端子ＬＡ１１，ＬＡ１２の湾曲接着面と、回路基板２１ｇ側の各ランドＬＡ１３，ＬＡ１４とが互いに接合・固定される。この際、各切欠状端子ＬＡ１１，ＬＡ１２と、回路基板２１ｇ側の各ランドＬＡ１３，ＬＡ１４との間で、各半田の表面張力がバランス良く作用して、ＬＥＤパッケージ１２１ｆと回路基板１２１ｇとが精密にアライメントされる。
【００３９】
〔第３実施形態〕
以下、本発明の第３実施形態に係るプロジェクタについて説明する。第３実施形態のプロジェクタは、第１実施形態のプロジェクタを変形したものである。
【００４０】
図６は、第３実施形態のプロジェクタに組み込まれるＢ光用のＬＥＤパッケージ２２１ｆの構造と、その回路基板２２１ｇへの取り付けとを説明するための図である。
【００４１】
ＬＥＤパッケージ２２１ｆは、表面実装パッケージとなっており、直方体状の本体２６１中にＬＥＤ素子を封入している。本体２６１の両端、特に下面には、半田付可能なアライメント端子である一対の端子ＬＡ２１が形成されており、内部に埋め込んだＬＥＤ素子に電気的に接続される電極端子となっている。この端子ＬＡ２１の接着面は矩形となっている。また、本体２６１の両側には、半田付可能なアライメント端子である一対の切欠状端子ＬＡ２２が形成されており、ＬＥＤ素子１２１ｈに接続されておらず、電気的にフロートした擬似端子となっている。この切欠状端子ＬＡ２２の接着面は湾曲面となっている。
【００４２】
一方、回路基板２２１ｇの表面上には、半田付用のパッドであるＸ方向に対向する一対のランドＬＡ２３と、Ｙ方向に対向する一対のランドＬＡ２４とが形成されている。これらのうち、一対のランドＬＡ２３は、配線パターン２２１ｋに接続されており、ＬＥＤパッケージ１２１ｆへの給電を可能にする電極パッドとなっている。また、残りの一対のランドＬＡ２４は、配線パターン２２１ｋに接続されておらず、擬似的なフロートパッドとなっている。
【００４３】
本実施形態の場合、端子ＬＡ２１とランドＬＡ２３との半田付によってＸ方向のアライメントが達成され、端子ＬＡ２２とランドＬＡ２４との半田付によってＹ方向のアライメントが達成される。これにより、ＬＥＤパッケージ２２１ｆを回路基板２２１ｇ上で２次元的に位置決めすることができる。
【００４４】
以上、実施形態に即して本発明を説明したが、本発明は上記実施形態に限定されるものではない。例えば、上記第１実施形態等において、各色光照明装置２１，２３，２５におけるＬＥＤパッケージ２１ｆ，２３ｆ，２５ｆの個数、配列、間隔等は、プロジェクタの仕様に応じて適宜変更することができる。また、ＬＥＤパッケージ２１ｆ，２３ｆ，２５ｆに設けるランドＬＡ１〜ＬＡ４の個数、配列、間隔等は、プロジェクタの仕様に応じて適宜変更することができる。
【００４５】
また、各色光照明装置２１，２３，２５における集光レンズアレイ２１ｂ，２３ｂ，２５ｂの形状及び構造も、プロジェクタの仕様に応じて適宜変更することができる。これにより、各色のロッドインテグレータ２１ｃ，２３ｃ，２５ｃに入射させる照明光の入射角範囲を調節することができ、結果的に、各色の液晶ライトバルブ３１，３３，３５に入射させる照明光の視野角範囲をある程度自由に制御することができる。
【００４６】
また、例えば第１実施形態において、ランドＬＡ１，ＬＡ３のみを通電に使用する必要はなく、ランドＬＡ２，ＬＡ４も並列的に通電に使用することもできる。
【００４７】
また、プロジェクタ１０として、白色光源からの光源光をミラー等で集光してロッドインテグレータの入射端に入射させて、ロッドインテグレータの射出端で均一な照明光を得るとともに、この照明光によって、ロッドインテグレータの射出端に対面配置した単一のカラー表示型の液晶ライトバルブを直接照明することもできる。この場合、上記実施形態のような色光用光源ユニット２１ａ，２３ａ，２５ａに代えてこれらと同様の構造を有する白色光源ユニットを用いることによって、輝度ムラの色ムラのない高品位の画像を投射することができる。なお、白色光源ユニットにおいて回路基板上に半田付けされるＬＥＤパッケージは、ＲＧＢの各色ごとのＬＥＤ素子を封入したものや、Ｂ光のＬＥＤ素子をＲＧ光の蛍光物質とともに封入したものとすることができる。
【図面の簡単な説明】
【００４８】
【図１】第１実施形態のプロジェクタの構造を概念的に説明するブロック図である。
【図２】Ｂ光用光源ユニットの平面図である。
【図３】ＬＥＤパッケージの構造とその取り付けとを説明するための斜視図である。
【図４】ＬＥＤパッケージの構造とその取り付けとを説明するための斜視図である。
【図５】第２実施形態のプロジェクタの要部を説明する斜視図である。
【図６】第３実施形態のプロジェクタの要部を説明する斜視図である。
【符号の説明】
【００４９】
１０…プロジェクタ、  ２０…照明装置、  ２１，２３，２５…各色光照明装置、  ２１，２３，２５…光照明装置、  ２１ａ，２３ａ，２５ａ…色光用光源ユニット、  ２１ｂ，２３ｂ，２５ｂ…集光レンズアレイ、  ２１ｃ，２３ｃ，２５ｃ…ロッドインテグレータ、  ２１ｆ，２３ｆ，２５ｆ…ＬＥＤパッケージ、  ２１ｇ，２３ｇ，２５ｇ…回路基板、  ２１ｈ…ＬＥＤ素子、  ２１ｋ…配線パターン、  ２３…光照明装置、  ２７…光源駆動装置、  ３０…光変調装置、  ３１，３３，３５…液晶ライトバルブ、  ３７…クロスダイクロイックプリズム、  ３８…素子駆動装置、  ４０…投射レンズ、  ５０…制御装置、ＬＡ１〜ＬＡ４…ランド
【図１】
2005228695.tif 000003
【図２】
2005228695.tif 000004
【図３】
2005228695.tif 000005
【図４】
2005228695.tif 000006
【図５】
2005228695.tif 000007
【図６】
2005228695.tif 000008